(57)【要約】【課題】コンピュータネットワーク上で提供されるコンテンツを効果的に獲得することができるＵＲＬ情報提供システムを提供する。【解決手段】本発明のＵＲＬ情報提供システムは、コンテンツをＷｅｂページで提供する１以上のサーバ２０Ａ及び２０Ｂと、コンテンツとＵＲＬを関連付けて記憶するＵＲＬ情報提供サーバ５０と、１以上のサーバ２０Ａ，２０Ｂに記憶されているコンテンツから所望のコンテンツを閲覧するユーザ側端末１０と、ユーザ側端末１０に接続されたプロバイダ３０と、１以上のサーバ２０Ａ，２０Ｂ、ＵＲＬ情報提供サーバ５０及びプロバイダ３０を接続するコンピュータネットワーク４０と、を備えている。【選択図】　図１
2004054752.tif 000002
【特許請求の範囲】
【請求項１】
コンピュータネットワーク上で閲覧可能なコンテンツのＵＲＬ（Ｕｎｉｆｏｒｍ　Ｒｅｓｏｕｒｃｅ　Ｌｏｃａｔｏｒ）情報を提供するＵＲＬ情報提供サーバであって、
コンピュータネットワークとの通信を制御するサーバ制御手段と、
前記サーバ制御手段を介して、コンピュータネットワークに接続されたサーバで提供されるコンテンツの内容と、当該コンテンツの内容に対応するＵＲＬとを収集するＵＲＬ情報収集処理手段と、
前記ＵＲＬ情報収集処理手段で収集されたコンテンツの内容のサマリと、当該コンテンツの内容に対応するＵＲＬを関連付けて記憶する提供ＵＲＬ情報記憶手段と、
を備え、
前記ＵＲＬ情報収集処理手段は、収集したコンテンツの内容のサマリを生成する、
ことを特徴とするＵＲＬ情報提供サーバ。
【請求項２】
さらに、
外部記憶媒体に接続可能な外部記憶媒体制御手段、
を備え、
前記ＵＲＬ情報収集処理手段は、前記提供ＵＲＬ情報記憶手段に記憶されている前記サマリと前記ＵＲＬを外部記憶媒体に記憶させるように前記外部記憶媒体制御手段を制御する、
ことを特徴とする請求項１記載のＵＲＬ提供サーバ。
【請求項３】
前記ＵＲＬ情報収集処理手段は、コンテンツの内容と、当該コンテンツの内容に対応するＵＲＬとの収集を、所定のタイミングで行う、
ことを特徴とする請求項１又は２記載のＵＲＬ提供サーバ。
【請求項４】
前記コンピュータネットワークは、インターネット及び／又はイントラネットである、ことを特徴とする請求項１乃至３記載のＵＲＬ提供サーバ。
【請求項５】
コンピュータネットワーク上で閲覧可能なコンテンツを検索するＷｅｂページコンテンツ検索システムであって、
コンピュータネットワークとの通信を制御するブラウザと、
外部記憶媒体に記憶されているコンテンツの内容のサマリと、当該コンテンツの内容に対応するＵＲＬを読み出す外部記憶媒体制御手段と、
外部記憶媒体制御手段から読み出した前記サマリと前記ＵＲＬを関連付けて記憶するＵＲＬ情報記憶手段と、
閲覧するコンテンツを特定するためのキーワードを入力する入力手段と、
前記入力手段に入力されたキーワードに基づいて、前記ＵＲＬ情報記憶手段からＵＲＬを検索する情報検索処理手段と、
を備え、
前記情報検索処理手段は、前記ブラウザを介して、前記ＵＲＬに基づいて、所望するコンテンツを提供するＷｅｂページにアクセスする、
ことを特徴とするＷｅｂページコンテンツ検索システム。
【請求項６】
前記ブラウザによって取得したＷｅｂページを表示する表示手段を備える、ことを特徴とする請求項５記載のＷｅｂページコンテンツ検索システム。
【請求項７】
前記情報検索処理手段で検索されたＷｅｂページのコンテンツを記憶する履歴Ｗｅｂページ記憶手段を備える、ことを特徴とする請求項５又は６記載のＷｅｂページコンテンツ検索システム。
【請求項８】
前記情報検索処理手段は、前記ＵＲＬ情報記憶手段からＵＲＬを検索する際に、前記ＵＲＬ情報記憶手段に記憶されているＵＲＬ情報が最新の情報かどうかをチェックし、最新の情報でない場合には、最新のＵＲＬ情報を獲得する、
ことを特徴とする請求項５乃至７記載のＷｅｂページコンテンツ検索システム。
【請求項９】
コンテンツをＷｅｂページで提供する１以上のサーバと、
コンテンツとＵＲＬを関連付けて記憶するＵＲＬ情報提供サーバと、
１以上のサーバに記憶されているコンテンツから所望のコンテンツを閲覧するユーザ側端末と、
前記１以上のサーバ、前記ＵＲＬ情報提供サーバ及びユーザ側端末を接続するコンピュータネットワークと、
を備えるＵＲＬ情報提供システムであって、
前記ＵＲＬ情報提供サーバは、前記請求項１乃至４記載のＵＲＬ情報提供サーバであり、
前記ユーザ側端末は、前記請求項５乃至８記載のＷｅｂページコンテンツ検索システムの各手段を備える、
ことを特徴とするＵＲＬ情報提供システム。
【請求項１０】
前記ユーザ側端末の前記情報検索処理手段は、前記ＵＲＬ情報記憶手段からＵＲＬを検索する際に、前記ＵＲＬ情報記憶手段に記憶されているＵＲＬ情報が最新の情報かどうかをチェックし、最新の情報でない場合には、前記ＵＲＬ情報提供サーバから最新のＵＲＬ情報を獲得する、
ことを特徴とする請求項９記載のＵＲＬ情報提供システム。
【請求項１１】
前記コンピュータネットワークは、インターネット及び／又はイントラネットである、ことを特徴とする請求項９又は１０記載のＵＲＬ情報提供システム。
【請求項１２】
コンピュータネットワーク上で閲覧可能なコンテンツのＵＲＬ情報を提供するＵＲＬ情報提供方法であって、
（Ａ）コンピュータネットワークに接続されたサーバからコンテンツと当該コンテンツに関連するＵＲＬを収集し、
（Ｂ）収集したコンテンツを要約してサマリを生成し、
（Ｃ）生成したサマリと当該サマリに対応するＵＲＬを関連付けてＵＲＬ情報として記憶し、
（Ｄ）記憶されている前記ＵＲＬ情報をコンピュータに外部から接続可能な記録媒体に記憶して提供する、
ことを特徴とするＵＲＬ情報提供方法。
【請求項１３】
さらに、
（Ｅ）コンピュータネットワークに接続された端末からの要求に応じて、前記ＵＲＬ情報を前記端末に提供する、
ことを特徴とする請求項１２記載のＵＲＬ情報提供方法。
【請求項１４】
前記ステップ（Ａ）から前記ステップ（Ｃ）は、所定のタイミングで実行される、ことを特徴とする請求項１２又は１３載のＵＲＬ情報提供方法。
【請求項１５】
前記コンピュータネットワークは、インターネット及び／又はイントラネットである、ことを特徴とする請求項１２乃至１４記載のＵＲＬ情報提供方法。
【請求項１６】
コンピュータネットワークに接続されたサーバで提供されるコンテンツを検索するＷｅｂページコンテンツ検索方法であって、
（ａ）外部記憶媒体からコンテンツのサマリと当該コンテンツのＵＲＬを含むＵＲＬ情報を読み込んで記憶し、
（ｂ）入力されたキーワードに基づいて、記憶されている前記ＵＲＬ情報を検索し、
（ｃ）検索の結果得られたＵＲＬ情報に基づいて、当該ＵＲＬにアクセスし、
（ｄ）アクセスしたＵＲＬのＷｅｂページのコンテンツを表示する、
ことを特徴とするＷｅｂページコンテンツ検索方法。
【請求項１７】
前記ステップ（ｂ）は、
（ｂ１）入力されたキーワードに基づいて、記憶されている前記ＵＲＬ情報を検索し、
（ｂ２）ＵＲＬ情報提供サーバに記憶されているＵＲＬ情報と検索した前記ＵＲＬ情報とを比較して最新の情報かどうかをチェックし、
（ｂ３）検索した前記ＵＲＬ情報が最新の情報でない場合には、前記ＵＲＬ情報提供サーバから最新のＵＲＬ情報を獲得して更新し、
（ｂ４）更新された前記ＵＲＬ情報を検索する、
ことを特徴とする請求項１６記載のＷｅｂページコンテンツ検索方法。
【請求項１８】
前記コンピュータネットワークは、インターネット及び／又はイントラネットである、ことを特徴とする請求項１６又は１７記載のＷｅｂページコンテンツ検索方法。
【請求項１９】
コンピュータにコンピュータネットワーク上で閲覧可能なコンテンツのＵＲＬ情報を提供するためのプログラムであって、
前記請求項１乃至４記載のＵＲＬ情報提供サーバの機能を、コンピュータに実現させるためのプログラム。
【請求項２０】
コンピュータにコンピュータネットワーク上で閲覧可能なコンテンツを検索するためのプログラムであって、
前記請求項５乃至８記載のＷｅｂページコンテンツ検索システムの機能を、コンピュータに実現させるためのプログラム。
【請求項２１】
コンピュータにコンピュータネットワーク上で閲覧可能なコンテンツのＵＲＬ情報を提供するためのプログラムであって、
前記請求項９乃至１１記載のＵＲＬ情報提供システムの機能を、コンピュータに実現させるためのプログラム。
【請求項２２】
コンピュータにコンピュータネットワーク上で閲覧可能なコンテンツのＵＲＬ情報を提供するためのプログラムであって、
前記請求項１２乃至１５記載のＵＲＬ情報提供方法の処理を、コンピュータに実現させるためのプログラム。
【請求項２３】
コンピュータにコンピュータネットワーク上で閲覧可能なコンテンツを検索するためのプログラムであって、
前記請求項１６乃至１８記載のＷｅｂページコンテンツ検索方法の処理を、コンピュータに実現させるためのプログラム。
【発明の詳細な説明】
【０００１】
【発明の属する技術分野】
本発明は、インターネットなどのコンピュータネットワーク上で提供されるコンテンツを効果的に獲得することができるＵＲＬ（Ｕｎｉｆｏｒｍ　Ｒｅｓｏｕｒｃｅ　Ｌｏｃａｔｏｒ）情報提供サーバ、Ｗｅｂページコンテンツ検索システム、ＵＲＬ情報提供システム、ＵＲＬ情報提供方法、Ｗｅｂページコンテンツ検索方法及びプログラムに関する。特には、コンテンツに対応するＵＲＬを効率よく得ることができるＵＲＬ情報提供サーバ、Ｗｅｂページコンテンツ検索システム、ＵＲＬ情報提供システム、ＵＲＬ情報提供方法、Ｗｅｂページコンテンツ検索方法及びプログラムに関する。
【０００２】
【従来の技術】
従来から、複数のコンピュータを通信回線などによって接続し、データやプログラムなどを複数のコンピュータ同士で蓄積交換したり、データなどを共有するコンピュータ・ネットワーク（以下、単に「ネットワーク」とも言う）が構築されている。
【０００３】
このようなネットワークの方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【０００４】
上述のオープン型ネットワーク方式の代表的なものとして、インターネットがある。このインターネットにおいては、通信プロトコルにＴＣＰ（Ｔｒａｎｓｆｅｒ　Ｃｏｎｔｒｏｌ　Ｐｒｏｔｏｃｏｌ）／ＩＰ（Ｉｎｔｅｒｎｅｔ　Ｐｒｏｔｏｃｏｌ）が採用されており、原則としてこの通信プロトコルを遵守したコンピュータであればネットワークに接続することができる。
【０００５】
近年において、インターネットのような自由なネットワーク環境を背景に、ＷＷＷ（Ｗｏｒｌｄ　Ｗｉｄｅ　Ｗｅｂ）などのマルチメディア環境が整備されてきた。特に、最近では、このインターネットを利用して様々な情報がＷｅｂページ上のコンテンツとして提供されている。
【０００６】
【発明が解決しようとする課題】
しかしながら、世界中のサーバに登録されているコンテンツを的確に検索し、所望する情報（コンテンツ）を効率よく得ることが困難であるという問題があった。
【０００７】
従って、本発明の目的は、コンピュータネットワーク上で提供されるコンテンツを効果的に獲得することができるＵＲＬ情報提供サーバ、Ｗｅｂページコンテンツ検索システム、ＵＲＬ情報提供システム、ＵＲＬ情報提供方法、Ｗｅｂページコンテンツ検索方法及びプログラムを提供することである。
【０００８】
【課題を解決するための手段】
上記課題を解決するため、本発明のＵＲＬ情報提供サーバは、コンピュータネットワーク上で閲覧可能なコンテンツのＵＲＬ情報を提供するＵＲＬ情報提供サーバであって、コンピュータネットワークとの通信を制御するサーバ制御手段と、前記サーバ制御手段を介して、コンピュータネットワークに接続されたサーバで提供されるコンテンツの内容と、当該コンテンツの内容に対応するＵＲＬとを収集するＵＲＬ情報収集処理手段と、前記ＵＲＬ情報収集処理手段で収集されたコンテンツの内容のサマリと、当該コンテンツの内容に対応するＵＲＬを関連付けて記憶する提供ＵＲＬ情報記憶手段と、を備え、前記ＵＲＬ情報収集処理手段は、収集したコンテンツの内容のサマリを生成する、ことを特徴とする。
【０００９】
さらに、外部記憶媒体に接続可能な外部記憶媒体制御手段、を備え、前記ＵＲＬ情報収集処理手段は、前記提供ＵＲＬ情報記憶手段に記憶されている前記サマリと前記ＵＲＬを外部記憶媒体に記憶させるように前記外部記憶媒体制御手段を制御する、ことができる。
【００１０】
また、前記ＵＲＬ情報収集処理手段は、コンテンツの内容と、当該コンテンツの内容に対応するＵＲＬとの収集を、所定のタイミングで行う、ようにするとよい。
【００１１】
ここで、前記コンピュータネットワークは、インターネット及び／又はイントラネットである、ことができる。
【００１２】
また、上記課題を解決するため、本発明のＷｅｂページコンテンツ検索システムは、コンピュータネットワーク上で閲覧可能なコンテンツを検索するＷｅｂページコンテンツ検索システムであって、コンピュータネットワークとの通信を制御するブラウザと、外部記憶媒体に記憶されているコンテンツの内容のサマリと、当該コンテンツの内容に対応するＵＲＬを読み出す外部記憶媒体制御手段と、外部記憶媒体制御手段から読み出した前記サマリと前記ＵＲＬを関連付けて記憶するＵＲＬ情報記憶手段と、閲覧するコンテンツを特定するためのキーワードを入力する入力手段と、前記入力手段に入力されたキーワードに基づいて、前記ＵＲＬ情報記憶手段からＵＲＬを検索する情報検索処理手段と、を備え、前記情報検索処理手段は、前記ブラウザを介して、前記ＵＲＬに基づいて、所望するコンテンツを提供するＷｅｂページにアクセスする、ことを特徴とする。
【００１３】
ここで、前記ブラウザによって取得したＷｅｂページを表示する表示手段を備える、ことができる。
【００１４】
また、前記情報検索処理手段で検索されたＷｅｂページのコンテンツを記憶する履歴Ｗｅｂページ記憶手段を備える、ことができる。
【００１５】
また、前記情報検索処理手段は、前記ＵＲＬ情報記憶手段からＵＲＬを検索する際に、前記ＵＲＬ情報記憶手段に記憶されているＵＲＬ情報が最新の情報かどうかをチェックし、最新の情報でない場合には、最新のＵＲＬ情報を獲得する、ようにするとよい。
【００１６】
また、上記課題を解決するため、本発明のＵＲＬ情報提供システムは、コンテンツをＷｅｂページで提供する１以上のサーバと、コンテンツとＵＲＬを関連付けて記憶するＵＲＬ情報提供サーバと、１以上のサーバに記憶されているコンテンツから所望のコンテンツを閲覧するユーザ側端末と、前記１以上のサーバ、前記ＵＲＬ情報提供サーバ及びユーザ側端末を接続するコンピュータネットワークと、を備えるＵＲＬ情報提供システムであって、前記ＵＲＬ情報提供サーバは、上述のＵＲＬ情報提供サーバであり、前記ユーザ側端末は、上述のＷｅｂページコンテンツ検索システムの各手段を備える、ことを特徴とする。
【００１７】
ここで、前記ユーザ側端末の前記情報検索処理手段は、前記ＵＲＬ情報記憶手段からＵＲＬを検索する際に、前記ＵＲＬ情報記憶手段に記憶されているＵＲＬ情報が最新の情報かどうかをチェックし、最新の情報でない場合には、前記ＵＲＬ情報提供サーバから最新のＵＲＬ情報を獲得する、ことができる。
【００１８】
また、前記コンピュータネットワークは、インターネット及び／又はイントラネットである、ことができる。
【００１９】
また、上記課題を解決するため、本発明のＵＲＬ情報提供方法は、コンピュータネットワーク上で閲覧可能なコンテンツのＵＲＬ情報を提供するＵＲＬ情報提供方法であって、（Ａ）コンピュータネットワークに接続されたサーバからコンテンツと当該コンテンツに関連するＵＲＬを収集し、（Ｂ）収集したコンテンツを要約してサマリを生成し、（Ｃ）生成したサマリと当該サマリに対応するＵＲＬを関連付けてＵＲＬ情報として記憶し、（Ｄ）記憶されている前記ＵＲＬ情報をコンピュータに外部から接続可能な記録媒体に記憶して提供する、ことを特徴とする。
【００２０】
さらに、（Ｅ）コンピュータネットワークに接続された端末からの要求に応じて、前記ＵＲＬ情報を前記端末に提供する、ことができる。
【００２１】
また、前記ステップ（Ａ）から前記ステップ（Ｃ）は、所定のタイミングで実行される、ようにするとよい。
【００２２】
ここで、前記コンピュータネットワークは、インターネット及び／又はイントラネットである、ことができる。
【００２３】
また、上記課題を解決するため、本発明のＷｅｂページコンテンツ検索方法は、コンピュータネットワークに接続されたサーバで提供されるコンテンツを検索するＷｅｂページコンテンツ検索方法であって、（ａ）外部記憶媒体からコンテンツのサマリと当該コンテンツのＵＲＬを含むＵＲＬ情報を読み込んで記憶し、（ｂ）入力されたキーワードに基づいて、記憶されている前記ＵＲＬ情報を検索し、（ｃ）検索の結果得られたＵＲＬ情報に基づいて、当該ＵＲＬにアクセスし、（ｄ）アクセスしたＵＲＬのＷｅｂページのコンテンツを表示する、ことを特徴とする。
【００２４】
ここで、前記ステップ（ｂ）は、（ｂ１）入力されたキーワードに基づいて、記憶されている前記ＵＲＬ情報を検索し、（ｂ２）ＵＲＬ情報提供サーバに記憶されているＵＲＬ情報と検索した前記ＵＲＬ情報とを比較して最新の情報かどうかをチェックし、（ｂ３）検索した前記ＵＲＬ情報が最新の情報でない場合には、前記ＵＲＬ情報提供サーバから最新のＵＲＬ情報を獲得して更新し、（ｂ４）更新された前記ＵＲＬ情報を検索する、ようにするとよい。
【００２５】
また、前記コンピュータネットワークは、インターネット及び／又はイントラネットである、ことができる。
【００２６】
また、上記課題を解決するため、本発明の第１の態様のプログラムは、コンピュータにコンピュータネットワーク上で閲覧可能なコンテンツのＵＲＬ情報を提供するためのプログラムであって、上述のＵＲＬ情報提供サーバの機能を、コンピュータに実現させることを特徴とする。
【００２７】
また、上記課題を解決するため、本発明の第２の態様のプログラムは、コンピュータにコンピュータネットワーク上で閲覧可能なコンテンツを検索するためのプログラムであって、上述のＷｅｂページコンテンツ検索システムの機能を、コンピュータに実現させることを特徴とする。
【００２８】
また、上記課題を解決するため、本発明の第３の態様のプログラムは、コンピュータにコンピュータネットワーク上で閲覧可能なコンテンツのＵＲＬ情報を提供するためのプログラムであって、上述のＵＲＬ情報提供システムの機能を、コンピュータに実現させることを特徴とする。
【００２９】
また、上記課題を解決するため、本発明の第４の態様のプログラムは、コンピュータにコンピュータネットワーク上で閲覧可能なコンテンツのＵＲＬ情報を提供するためのプログラムであって、上述のＵＲＬ情報提供方法の処理を、コンピュータに実現させることを特徴とする。
【００３０】
【発明の実施の形態】
以下、図面を参照して本発明のＵＲＬ（Ｕｎｉｆｏｒｍ　Ｒｅｓｏｕｒｃｅ　Ｌｏｃａｔｏｒ）情報提供サーバ、Ｗｅｂページコンテンツ検索システム、ＵＲＬ情報提供システム、ＵＲＬ情報提供方法、Ｗｅｂページコンテンツ検索方法及びプログラムの実施の形態を説明する。
【００３１】
図１は、本発明のＵＲＬ情報提供システムの一形態を示す図である。このＵＲＬ情報提供システムは、コンテンツをＷｅｂページで提供する１以上のサーバ（図１においては、サーバＡ２０Ａ及びサーバＢ２０Ｂ）と、コンテンツとＵＲＬを関連付けて記憶するＵＲＬ情報提供サーバ５０と、１以上のサーバ２０Ａ，２０Ｂに記憶されているコンテンツから所望のコンテンツを閲覧するユーザ側端末１０と、ユーザ側端末１０に接続されたプロバイダ３０と、１以上のサーバ２０Ａ，２０Ｂ、ＵＲＬ情報提供サーバ５０及びプロバイダ３０を接続するコンピュータネットワーク４０と、を備える。
【００３２】
ここで、ユーザ側端末１０は、ＵＲＬ情報を検索する際に、記憶されているＵＲＬ情報が最新の情報かどうかをチェックし、最新の情報でない場合には、ＵＲＬ情報提供サーバ５０から最新のＵＲＬ情報を獲得する。
【００３３】
ここで、コンピュータネットワーク４０は、インターネットやイントラネットを利用して構築することができる。この場合、インターネットの通信プロトコルに準拠した既存のアプリケーションやシステムを使用することができるので、低コストで本発明の電子銀行システムを実現することができる。
【００３４】
図２は、図１に示したＵＲＬ情報提供サーバ５０の構成の一例を示す図である。図２において、ＵＲＬ情報提供サーバ５０は、コンピュータネットワーク４０との通信を制御するサーバ制御部２１と、サーバ制御部２１を介して、コンピュータネットワーク４０に接続されたサーバ２０Ａ，２０Ｂ（図１）で提供されるコンテンツの内容と、当該コンテンツの内容に対応するＵＲＬとを収集するＵＲＬ情報収集処理部２２と、ＵＲＬ情報収集処理部２２で収集されたコンテンツの内容のサマリと、当該コンテンツの内容に対応するＵＲＬを関連付けて記憶する提供ＵＲＬ情報ＤＢ（Ｄａｔａ　Ｂａｓｅ）２３と、外部記憶媒体１８に接続可能な外部記憶媒体制御部２４、を備えている。
【００３５】
ここで、ＵＲＬ情報収集処理部２２は、収集したコンテンツの内容のサマリを生成する。
【００３６】
また、ＵＲＬ情報収集処理部２２は、提供ＵＲＬ情報ＤＢ２３に記憶されているサマリとＵＲＬを外部記憶媒体１８に記憶させるように外部記憶媒体制御部２４を制御する。
【００３７】
また、ＵＲＬ情報収集処理部２２は、コンテンツの内容と、当該コンテンツの内容に対応するＵＲＬとの収集を、所定のタイミング、例えば、所定の周期や登録されているタイミング、で行う。
【００３８】
図３は、図１に示したＷｅｂページコンテンツ検索システムとしてのユーザ側端末１０の構成の一例を示す図である。図３において、Ｗｅｂページコンテンツ検索システムであるユーザ側端末１０は、コンピュータネットワーク４０との通信を制御するブラウザ１１と、外部記憶媒体１８に記憶されているコンテンツの内容のサマリと、当該コンテンツの内容に対応するＵＲＬを読み出す外部記憶媒体制御部１３と、外部記憶媒体制御部１３から読み出したサマリとＵＲＬを関連付けて記憶するＵＲＬ情報ＤＢ１７と、閲覧するコンテンツを特定するためのキーワードを入力する入力部１５と、入力部１５に入力されたキーワードに基づいて、ＵＲＬ情報ＤＢ１７からＵＲＬを検索する情報検索処理部１２と、ブラウザ１１によって取得したＷｅｂページを表示する表示部１４と、情報検索処理部１２で検索されたＷｅｂページのコンテンツを記憶する履歴ＷｅｂページＤＢ１６を備えている。
【００３９】
ここで、情報検索処理部１２は、ブラウザを介して、ＵＲＬに基づいて、所望するコンテンツを提供するＷｅｂページにアクセスする。
【００４０】
また、情報検索処理部１２は、ＵＲＬ情報ＤＢ１７からＵＲＬを検索する際に、ＵＲＬ情報ＤＢ１７に記憶されているＵＲＬ情報が最新の情報かどうかをチェックし、最新の情報でない場合には、ＵＲＬ情報提供サーバ５０から最新のＵＲＬ情報を獲得する。
【００４１】
次に、図１〜図３に示した本発明のＵＲＬ情報提供サーバ、Ｗｅｂページコンテンツ検索システム及びＵＲＬ情報提供システムにおけるＵＲＬ情報提供方法並びにＷｅｂページコンテンツ検索方法について説明する。
【００４２】
図４は、本発明のＵＲＬ情報提供方法を示すフローチャートである。図１〜図４において、先ず、ＵＲＬ情報提供サーバのＵＲＬ情報収集処理部２２は、サーバ２０Ａ，２０ＢのＷｅｂページをアクセスして、ＷｅｂページコンテンツとそのＵＲＬをＵＲＬ情報として抽出し、提供ＵＲＬ情報ＤＢ２３に記憶する（ステップ２０１）。
【００４３】
提供ＵＲＬ情報ＤＢ２３に記憶されているＵＲＬ情報は、外部記憶媒体制御部２４を介して、外部記憶媒体１８に他の提供プログラムと共に記憶される。外部記憶媒体１８に記憶されているＵＲＬ情報は、ユーザ側端末１０の外部記憶媒体制御部１３を介して、ＵＲＬ情報ＤＢ１７に読み込まれ、記憶される（ステップ２０２）。
【００４４】
ユーザ側端末１０においては、入力部１５から入力されたキーワードに基づいて、ＵＲＬ情報ＤＢ１７に記憶されているＵＲＬ情報を検索し、該当するコンテンツが含まれるＷｅｂページのＵＲＬを特定する。このＵＲＬをアクセスすることによって所望するＷｅｂページを検索することができる（ステップ２０３）。
【００４５】
図５は、ユーザ側端末１０からのＷｅｂページコンテンツ検索方法を示すフローチャートである。図１〜図３及び図５において、ユーザ側端末１０の入力部１５から入力されたキーワードに基づいて、ＵＲＬ情報ＤＢ１７に記憶されているＵＲＬ情報を検索する（ステップ３０１）。
【００４６】
次に、ＵＲＬ情報提供サーバ５０に記憶されているＵＲＬ情報と検索したＵＲＬ情報を比較してチェックする（ステップ３０２）。
【００４７】
検索したＵＲＬ情報が最新の情報でない場合には（ステップ３０３）、ＵＲＬ情報提供サーバ５０に接続し（ステップ３０４）、最新のＵＲＬ情報をダウンロードする（ステップ３０５）。ダウンロードしたＵＲＬ情報でＵＲＬ情報ＤＢ１７に記憶されているＵＲＬ情報を更新する（ステップ３０６）。
【００４８】
次に、キーワードに基づいて、ＵＲＬ情報ＤＢ１７に記憶されているＵＲＬ情報を検索し、該当するＵＲＬを抽出する（ステップ３０７）。
【００４９】
そして、抽出されたＵＲＬに基づいてＷｅｂページをアクセスする（ステップ３０８）。
【００５０】
以上、本発明のＵＲＬ情報提供サーバ、Ｗｅｂページコンテンツ検索システム、ＵＲＬ情報提供システム、ＵＲＬ情報提供方法、Ｗｅｂページコンテンツ検索方法及びプログラムについて説明したが、上述した機能や処理をコンピュータなどで実行可能なプログラムとするようにしてもよい。
【００５１】
【発明の効果】
以上述べた通り、本発明のＵＲＬ情報提供サーバ、Ｗｅｂページコンテンツ検索システム、ＵＲＬ情報提供システム、ＵＲＬ情報提供方法、Ｗｅｂページコンテンツ検索方法及びプログラムによれば、コンテンツのサマリとＵＲＬを関連付けてＵＲＬ情報として提供するため、コンピュータネットワーク上で提供されるコンテンツを効果的に獲得することができるようになった。
【図面の簡単な説明】
【図１】本発明のＵＲＬ情報提供システムの一例を示す図である。
【図２】本発明のＵＲＬ情報提供サーバの一例を示す図である。
【図３】本発明のＷｅｂページコンテンツ検索システムの一例を示す図である。
【図４】本発明のＵＲＬ情報提供方法を示すフローチャートである。
【図５】本発明のＷｅｂページコンテンツ検索方法を示すフローチャートである。
【符号の説明】
１０　ユーザ側端末
１１　ブラウザ
１２　情報検索処理部
１３，２４　外部記憶媒体制御部
１４　表示部
１５　入力部
１６　履歴ＷｅｂページＤＢ
１７　ＵＲＬ情報ＤＢ
１８　外部記憶媒体
２０Ａ　サーバＡ
２０Ｂ　サーバＢ
２１　サーバ制御部
２２　ＵＲＬ情報収集処理部
２３　提供ＵＲＬ情報ＤＢ
３０　プロバイダ
４０　コンピュータネットワーク
５０　ＵＲＬ情報提供サーバ
【図１】
2004054752.tif 000003
【図２】
2004054752.tif 000004
【図３】
2004054752.tif 000005
【図４】
2004054752.tif 000006
【図５】
2004054752.tif 000007